(57)【要約】  照明器具１０は、少なくとも１つの細長い照明器具筐体１６と、少なくとも１つの細長い照明器具筐体を通り延在する複数のレンズセグメント２２、２４、２６、２８と、複数の細長いレンズセグメントの端における少なくとも１つの端拘束部と、複数の細長いレンズセグメントの端間に配置される少なくとも１つの温度補償ユニット５０とを含み、レンズセグメントは、ある角度で切断された少なくとも１つの縁を有し、隣接するレンズセグメントの隣接する縁は補角をなす。
2014513387.tif 000002
【特許請求の範囲】
【請求項１】
少なくとも１つの細長い照明器具筐体と、
前記少なくとも１つの細長い照明器具筐体を通り延在する複数のレンズセグメントと、
前記複数の細長いレンズセグメントの端における少なくとも１つの端拘束部と、
前記複数の細長いレンズセグメントの端間に配置される少なくとも１つの温度補償ユニットと、
を含み、
前記複数のレンズセグメントは、ある角度で切断された少なくとも１つの縁を有し、
隣接する前記レンズセグメントの隣接する前記少なくとも１つの縁は補角をなす、照明器具。
【請求項２】
前記少なくとも１つの端拘束部は、少なくとも第１の方向において前記複数のレンズセグメントのうち１つの移動を阻止する、請求項１に記載の照明器具。
【請求項３】
前記少なくとも１つの端拘束部は、２つの方向において前記複数のレンズセグメントのうち１つの移動を阻止する、請求項１に記載の照明器具。
【請求項４】
前記少なくとも１つの温度補償ユニットによって係合される縁とは反対の長手方向の縁上に少なくとも１つの長手方向の拘束部を更に含む、請求項１に記載の照明器具。
【請求項５】
前記複数のレンズセグメントのうち少なくとも１つのレンズセグメントは、中間レンズセグメントである、請求項１に記載の照明器具。
【請求項６】
前記中間レンズセグメントは、前記照明器具の動作温度に基づいて、横方向に移動可能である、請求項５に記載の照明器具。
【請求項７】
前記照明器具は埋め込み式照明器具である、請求項１に記載の照明器具。
【請求項８】
前記照明器具は吊り下げ式照明器具である、請求項１に記載の照明器具。
【請求項９】
少なくとも１つの照明器具筐体と、
第１のエンドレンズセグメント、第２のエンドレンズセグメント、並びに前記第１及び第２のエンドレンズセグメント間に配置された中間レンズセグメントと、
前記第１のエンドレンズセグメント、前記第２のエンドレンズセグメント、及び前記中間レンズセグメントのうち少なくとも１つのレンズセグメントの長手方向の縁に沿って配置された温度補償ユニットと、
を含み、
前記第１のエンドレンズセグメント、前記第２のエンドレンズセグメント、及び前記中間レンズセグメントのうち少なくとも２つのレンズセグメントは、補完的に角度が付けられた隣接する縁を有する、照明器具。
【請求項１０】
前記温度補償ユニットは、アーチ形金属シムを有する、請求項９に記載の照明器具。
【請求項１１】
前記アーチ形金属シムは、第１の正常位置を有する、請求項１０に記載の照明器具。
【請求項１２】
前記アーチ形金属シムは、第２の加熱位置を有する、請求項１１に記載の照明器具。
【請求項１３】
前記第１の正常位置及び前記第２の加熱位置のうちの１つは、前記レンズセグメントのうち少なくとも１つを支える、請求項１２に記載の照明器具。
【請求項１４】
前記アーチ形金属シムは、前記照明器具の温度に基づいて変化する形状を有する、請求項１０に記載の照明器具。
【請求項１５】
端拘束部が１つの方向における動きを制限する、請求項９に記載の照明器具。
【請求項１６】
端拘束部が２つの方向における動きを制限する、請求項９に記載の照明器具。
【請求項１７】
前記第１のエンドレンズセグメント、前記第２のエンドレンズセグメント、及び前記中間レンズセグメントのうち１つのレンズセグメントの長手方向に延在する縁に沿った横方向拘束部を更に含む、請求項９に記載の照明器具。
【請求項１８】
温度を上昇させることによって、前記中間レンズセグメントが長手方向のアライメントから離れるように横方向に移動することが可能になる、請求項９に記載の照明器具。
【請求項１９】
温度を低下させることによって、前記中間レンズセグメントが長手方向のアライメントに向かって横方向に移動することが可能になる、請求項９に記載の照明器具。
【請求項２０】
第１の固定されたレンズセグメントと、
第２の拘束されたレンズセグメントと、
前記第１及び第２のレンズセグメント間の第３の中間レンズセグメントと、
前記レンズセグメントのうち１つに係合する温度補償付勢バネと、
を含み、
前記温度補償付勢バネは、第１の温度において前記レンズセグメントのうち少なくとも１つを付勢し、第２の温度において付勢力を低下させる、照明器具。
【請求項２１】
照明器具におけるレンズアセンブリのレンズセグメントのアライメントを維持する方法であって、
筐体内に第１のエンドレンズセグメントと第２のエンドレンズセグメントとを位置付けるステップと、
前記筐体内に少なくとも１つの中間レンズセグメントを位置付けるステップと、
少なくとも１つの方向において前記第１及び第２のエンドレンズセグメントを拘束するステップと、
前記レンズセグメントのアライメントを維持するために前記第１のエンドレンズセグメント、前記第２のエンドレンズセグメント、及び前記中間レンズセグメントのうち１つのレンズセグメントを付勢するステップと、
を含み、
前記付勢するステップは可変で、前記照明器具の温度に基づく、方法。
【発明の詳細な説明】
【技術分野】
【０００１】
［0001］  関連文書への相互参照
なし。
【背景技術】
【０００２】
［0002］  本発明は、照明器具レンズアセンブリに関する。より具体的には、本発明は、複数のレンズセグメントと、当該レンズセグメントのアライメントを維持し、当該複数のレンズセグメント間に間隙が形成されないようにする熱膨張補償ユニットとを有する細長い照明器具レンズアセンブリに関する。
【発明の概要】
【発明が解決しようとする課題】
【０００３】
［0003］  埋め込み式照明器具及び吊り下げ式照明器具は、時に、例えば廊下又は少なくとも１つの寸法が比較的長い部屋における使用のために長期間に及んで使用される。これらの照明器具は、複数の部品からなるレンズアセンブリにより形成される。照明器具が通常の動作温度に上昇すると、レンズ材料が屈曲したり膨張したりして照明器具の筐体内でレンズが移動する。翻って、この移動は、様々なレンズの部品間に間隙をもたらす。これらの間隙は、照明器具が冷却されても必ずしも閉じない。これは、セグメント間のレンズの継ぎ目を視覚的に示し、非常に好ましくない。照明器具がオン又はオフされて膨張、収縮、及び移動が繰り返されると、この問題を悪化させてしまう。
【０００４】
[0004]  上述の問題を考慮すると、現行の照明器具では、これらのデバイスにおけるこれらの及び他の欠陥を解決することが非常に望ましい。より具体的には、筐体又はレンズの熱膨張及び収縮によるレンズ間の間隙を阻止する又は除去するシステムを提供することが非常に望ましい。
【課題を解決するための手段】
【０００５】
［0005］  照明器具は、少なくとも１つの細長い照明器具筐体と、少なくとも１つの細長い照明器具筐体を通り延在する複数のレンズセグメントと、複数の細長いレンズセグメントの端における少なくとも１つの端拘束部と、複数の細長いレンズセグメントの端間に配置される少なくとも１つの温度補償ユニットとを含み、レンズセグメントは、ある角度で切断された少なくとも１つの縁を有し、隣接するレンズセグメントの隣接する縁は補角をなす。当該照明器具において、少なくとも１つの端拘束部は、少なくとも第１の方向において複数のレンズセグメントのうち１つの移動を阻止する。当該照明器具において、少なくとも１つの端拘束部は、２つの方向において複数のレンズセグメントのうち１つの移動を阻止する。当該照明器具は更に、温度補償ユニットによって係合される縁とは反対の長手方向の縁上に少なくとも１つの長手方向の拘束部を含む。当該照明器具において、複数のレンズセグメントのうち少なくとも１つのレンズセグメントは、中間レンズセグメントである。当該照明器具において、中間レンズセグメントは、照明器具の動作温度に基づいて、横方向に移動可能である。当該照明器具において、照明器具は埋め込み式照明器具又は吊り下げ式照明器具である。
【０００６】
［0006］  照明器具は、少なくとも１つの照明器具筐体と、第１のエンドレンズセグメント、第２のエンドレンズセグメント、並びに第１及び第２のエンドレンズセグメント間に配置された中間レンズセグメントと、第１、第２、及び中間レンズセグメントのうち少なくとも１つのレンズセグメントの長手方向の縁に沿って配置された温度補償ユニットとを含み、第１、第２、及び中間レンズセグメントのうち少なくとも２つのレンズセグメントは、補完的に角度が付けられた隣接する縁を有する。当該照明器具において、温度補償ユニットは、アーチ形金属シムを有する。当該照明器具において、アーチ形金属シムは、第１の正常位置を有する。当該照明器具において、アーチ形金属シムは、第２の加熱位置を有する。当該照明器具において、第１の正常位置及び第２の加熱位置のうちの１つは、レンズセグメントのうち少なくとも１つを支える。当該照明器具において、アーチ形金属シムは、照明器具の温度に基づいて変化する形状を有する。当該照明器具において、端拘束部が１つの方向における動きを制限する。当該照明器具において、端拘束部が２つの方向における動きを制限する。当該照明器具は更に、第１、第２、及び中間レンズのうち１つのレンズセグメントの長手方向に延在する縁に沿った横方向拘束部を含む。当該照明器具において、温度を上昇させることによって、中間レンズセグメントが長手方向のアライメントから離れるように横方向に移動することが可能になる。当該照明器具において、温度を低下させることによって、中間レンズセグメントが長手方向のアライメントに向かって横方向に移動することが可能になる。
【０００７】
［0007］  照明器具は、第１の固定されたレンズセグメントと、第２の拘束されたレンズセグメントと、第１及び第２のレンズセグメント間の第３の中間レンズセグメントと、レンズセグメントのうち１つに係合する温度補償付勢バネとを含み、温度補償付勢バネは、第１の温度においてレンズセグメントのうち少なくとも１つを付勢し、第２の温度において付勢力を低下させる。
【０００８】
［0008］  照明器具におけるレンズアセンブリのレンズセグメントのアライメントを維持する方法は、筐体内に第１のエンドセグメントと第２のエンドレンズセグメントとを位置付けるステップと、筐体内に少なくとも１つの中間レンズセグメントを位置付けるステップと、少なくとも１つの方向において第１及び第２のエンドセグメントを拘束するステップと、レンズセグメントのアライメントを維持するために第１、第２、及び中間レンズセグメントのうち少なくとも１つのレンズセグメントを付勢するステップとを含み、付勢するステップは可変で、照明器具の温度に基づく。
【図面の簡単な説明】
【０００９】
［0009］  本発明の上記並びに他の特徴及び利点、並びにこれらを獲得する方法がより明らかとなり、本発明は、添付図面と共に以下の本発明の実施形態の説明を参照することにより、よりよく理解されるであろう。
【００１０】
【図１】［0010］図１は、つり天井照明器具の斜視図を示す。
【図２】［0011］図２は、天井に配置された埋め込み式照明器具の斜視図を示す。
【図３】［0012］図３は、図１及び図２の照明器具に使用される例示的なレンズアセンブリの斜視図を示す。
【図４】［0013］図４は、図３のレンズアセンブリの概略図を示す。
【図５】［0014］図５は、代替のレンズアセンブリの概略図を示す。
【図６】［0015］図６は、例示的な熱膨張ユニットの斜視図を示す。
【図７】［0016］図７は、隣接するレンズセグメントの底面図とそれらの相対移動を示す。
【図８】［0017］図８は、例示的な固定具の筐体の断面図である。
【発明を実施するための形態】
【００１１】
［0018］  本発明は、その適用において、以下の説明に示される又は図面に例示される構成要素の構成及び配置の詳細に限定されないことは理解されるべきである。本発明は、他の実施形態及び様々な方法で実施又は実行されることが可能である。更に、本明細書において使用される表現及び用語は、説明を目的とし、限定と見なされるべきではないことも理解されるべきである。本明細書における「含む」、「備える」又は「有する」及びそれらの変形の使用は、それ以降に列挙される項目又はその等価物のみならず追加の項目も包含するように意図されている。特に明記されない限り、本明細書における用語「接続された」、「結合された」並びに「取り付けられた」及びそれらの変形は、広義に使用され、直接的及び間接的な接続、結合及び取付けを包含する。更に、用語「接続された」並びに「結合された」及びそれらの変形は、物理的、即ち、機械的な接続又は結合に制限されない。
【００１２】
［0019］  様々な図１乃至図８に、熱補償ユニットを有する照明器具アセンブリが示される。レンズアセンブリは、長い一続きのレンズセグメントを含み、熱補償ユニットは、レンズアセンブリに付勢力を加える。これによって、照明器具の温度の変動によるレンズアセンブリの膨張及び収縮に関わらず、レンズセグメントのアライメントが維持される。
【００１３】
［0020］  まず、図１を参照すると、吊り下げ式照明器具固定具１０の斜視図が示される。吊り下げ式固定具は、固定具の筐体１６に接続されるか又は固定具の筐体１６を支持する、例えばロッド又はケーブル１２である１つ以上の吊り下げ部材を含む。固定具の筐体１６は、１つ以上の筐体セグメントから形成され、全体として、横方向、即ち、緯度方向の長さよりも大きい長手方向の長さを有する。長手方向及び横方向は、本図及び本明細書における更なる図面における参照及び例示のために、それぞれ、Ｘ及びＹと示される。照明器具の固定具１０は、このタイプの固定具が通常使用される長い廊下又は１つ以上の長い寸法を有する部屋中に延在する又は照明するように、例えば少なくとも４フィート（約１２２センチメートル）であるがより短い距離であってもより長い距離であってもよい距離によって画定される長手方向を有する。
【００１４】
［0021］  図２を一時的に参照すると、代替の固定具タイプが示される。例えば天井Ｃに埋め込まれた埋め込み式固定具１１０が示される。埋め込み式固定具１１０は更に、長手方向寸法Ｘと横方向Ｙとを有し、長手方向は横方向、即ち、緯度方向より長い、１つ以上の筐体セグメント２２、２４、２６で形成された筐体１６も有する。
【００１５】
［0022］  図１及び図２の固定具１０、１１０は共に、レンズアセンブリ２０を組み込む。これらのアセンブリは、複数のレンズセグメントによって画定される。各アセンブリは、第１のエンドセグメント２２、第２のエンドセグメント２４及び１つ以上の中間セグメント２６を含む。レンズアセンブリ２０は、レンズアセンブリ２０が長手方向Ｘに延在し、固定具１６の光開口部の付近に大体配置されるように、筐体１６内に着座される。更に、どちらの実施形態でも、天井は、乾式壁で形成される天井といった固定天井であっても吊り下げ式のグリッド天井であってもよい。レンズセグメントは平らに示されるが、これらのレンズセグメントは、或いは、押出成形された形状を有しても、これに追加して、様々な表面仕上げを有してもよい。
【００１６】
［0023］  次に図３を参照すると、筐体及び他の構造体を取り外した状態のレンズアセンブリ２０の斜視図が示される。レンズアセンブリ２０は、第１のエンドセグメント２２、第２のエンドセグメント２４、及び第１並びに第２の中間セグメント２６、２８を含む。中間セグメント２８は、本明細書において図３及びそれ以降において参照し易くするために示されているに過ぎず、セグメント２６と同じか、或いは異なるサイズであってよい。レンズアセンブリ２０は、２つの隣接して位置付けられた熱補償ユニット５０を含む。温度補償ユニット５０は、動作温度と照明器具のオフ温度との温度差による膨張及び移動の温度影響に関わらず、レンズがアライメントを維持するように、第１の温度では第１の付勢力を、第２の温度では第２の付勢力を、様々なレンズセグメント２２、２４、２６、２８に与える。第１の付勢力及び第２の付勢力は、照明器具の温度に基づいて異なり、例示的な実施形態のように、より高い温度においてより強い力である、又は、より低い温度においてより強い力である。
【００１７】
［0024］  例えば、照明器具がオンである場合、オンの照明器具とオフの照明器具との温度差は、例えば例示的な数値として３０℃である。ポリカーボネート系のレンズの４フィートのセグメントでは、この温度差による膨張量は、例えば１．５ミリメートルである。２４フィート（約７３２センチメートル）の長さの照明器具アセンブリでは、これは、例えば約７ミリメートルの膨張又は収縮となる。例えば６０フィート（約１８２９センチメートル）である長い照明器具では、照明器具アセンブリの複合的な膨張は、例えば約２２ミリメートルである。或いは、４フィートの長さを有するアクリルレンズでは、３０℃の温度差による膨張は、例えば２．５ミリメートル（ｍｍ）である。１５個のレンズセグメントによって提供される６０フィートを超える長さでは、累積膨張は、約３７．５ミリメートル（ｍｍ）、即ち、略１．５インチに近づく。上述したように、この膨張及び収縮は、動作温度におけるレンズの膨張を補償する又は考慮に入れるために筐体にクリアランス又は公差が組み込まれるため、筐体内の照明器具の移動を引き起こす。当業者であれば、本明細書において言及される膨張及び収縮は、現在のレンズ構造体の１つの問題であることを理解できよう。しかし、移動は、当該移動及び収縮時にレンズが筐体に対しゆっくりと動く又は進むことによって引き起こされる第２の問題である。この移動は、上述したように、レンズセグメント間に望ましくない間隙をもたらす。
【００１８】
［0025］  これらの問題を解決するにあたり、レンズセグメント２２、２４、２６、２８は、例示的な実施形態に示されるように、例えば台形状といった多角形に形成される。各セグメントは、補角π及びαを有する隣接縁を有する。例示的な実施形態では、角度π及びαは、それぞれ、約１３５°と約４５°である。しかし、本質的に補完的である様々な角度を使用してよい。したがって、提供された数値は、限定と見なされるべきではない。或いは、角度は補完的でなくともよい。代わりに相補的であるか又は照明器具の筐体の形状に依存して、そのどちらでなくともよい。つまり、角度は必ずしも構造体の限定要素ではない。角度が付けられた縁は、レンズセグメントが膨張及び収縮する際に互いに対し摺動するためのガイドとして機能する。
【００１９】
［0026］  レンズアセンブリ２０は、少なくとも１つの端においてかつ少なくとも１つの次元において拘束（constrained）される。１つの例示的な実施形態では、長手方向（Ｘ）及び横方向、即ち、緯度方向（Ｙ）の両方においてエンドレンズセグメント２２、２４のうちの少なくとも一方を拘束するように例えば留め具といった固定接続部６０が使用される。しかし、留め具以外の他の構造体を用いてもよい。これに加えて、拘束は、２次元ではなく１次元においてである。例えば筐体内の縁、スロット又は他の構造体７０が、横方向における動きは拘束するが、長手方向における膨張及び収縮を可能とするように使用される。図８には、Ｙ方向における並進は可能にするが、Ｘ方向においてレンズを固定する例示的な縁７０が示される。
【００２０】
［0027］  レンズアセンブリの少なくとも１つの長手方向の縁に沿って配置された熱補償ユニット５０が示される。レンズアセンブリの反対側の長手方向の縁は、例えば１つの方向、つまり、図８に示される横方向のみにおける移動に限定する筐体の縁、スロット又は他のそのような構造上の特徴を含む様々な構造上の特徴によって、長手方向において拘束される。熱補償ユニット５０は、上述したように、付勢力を与える。より冷温の状態では、例示的な構造体は、矢印Ａとは反対の方向においてレンズセグメント２４、２６の長い縁に対してより強い付勢力を与える。しかし、加熱されると、熱補償ユニット５０は、レンズセグメント２４、２６への付勢力を減少するように構造上変化し、熱によってもたらされた膨張を補償するように矢印Ａの方向におけるレンズの移動を可能にする。冷温に戻ると、長手方向におけるレンズセグメントのアライメントを強制し、様々なレンズセグメント２２、２４、２６、２８間の位置でレンズアセンブリ２０内に間隙が形成されないように矢印Ａとは反対の方向においてレンズセグメントに対する付勢力が増加される。
【００２１】
［0028］  補償ユニット５０は、レンズセグメント２４、２６の長い縁に係合しているように示されるが、ユニット５０は、或いは、レンズセグメントの反対側の長手方向の縁及び／又は短い縁に配置されてもよいことは理解されるべきである。例えば図３の補償ユニット５０は、図４に示されるものとは反対側の長手方向の縁に位置付けられている。
【００２２】
［0029］  次に図４を参照すると、例示的なレンズアセンブリ２０の概略図が示される。レンズアセンブリ２０は、拘束部が両端において両方向に固定されておらず、代わりに、１つの端において１つの方向にかつ第２の端において２つの方向に固定されている点で、図３とは僅かに異なる。それ以外は、図４は、図３と同じ例示的な４つのレンズセグメントからなるアセンブリ２０である。上述したように、補償ユニット５０は、アセンブリ２０の反対側の長手方向の縁上にかつ様々な場所に示される。図４のレンズアセンブリ２０は、第１のエンドレンズセグメント２２と第２のエンドレンズセグメント２４とを含む。アセンブリ２０の下側の長手方向の縁に沿って、複数の熱補償ユニット５０が概略的に示される。上側の縁沿いでは、代替の拘束部によって、長手方向の並進は可能にされるが、横方向（Ｙ）においては固定され、これにより、レンズセグメントは、Ｙ方向における予め選択された位置を越えて移動することができない。或いは、ユニット５０及び拘束部７０は、レンズアセンブリ２０の長手軸について反対にされてもよい。Ｙ方向における並進を可能にする拘束部７０を有する第１のレンズセグメント２２が示される。しかし、第２のレンズセグメント２４は、２方向において固定されるので、右端における並進は可能にしない。
【００２３】
［0030］  図５を参照すると、レンズアセンブリ１２０の代替実施形態が示される。レンズアセンブリ１２０は、第１のエンドレンズセグメント１２２、第２のエンドレンズセグメント１２４及び中間レンズセグメント１２６を含む。この第２の例示的な実施形態では、レンズアセンブリ１２０は、第１の実施形態よりも少ない数のレンズセグメントを使用する。これに加えて、エンドセグメント１２２、１２４は、２方向において固定される一方で、熱補償ユニット５０は、中間セグメント１２６の両端において使用される。固定された拘束部又は固定部とは反対側のセグメント１２２、１２４の端において、長手方向における膨張を可能にする一方で横方向における移動を制限するように第１及び第２の並進拘束部７０が使用される。拘束部７０及びユニット５０は、レンズアセンブリ１２０の長手軸について反対にされてもよいことは理解されるべきである。
【００２４】
［0031］  当業者は、図４及び図５の実施形態が、異なる数のレンズセグメントを有することを認識するであろう。必要なセグメント数を求めるためには、レンズアセンブリの全長を知り、その全長を単一のレンズセグメントの長さによって割る必要がある。これらのレンズセグメントは同じ長さを有すると仮定すると、セグメントの必要数がこの計算により提供される。結果として得られるセグメント数が奇数である場合、２つのエンドセグメントのレンズには補償器が与えられず、Ｘ及びＹ方向の両方向において固定されて拘束される。結果として得られるセグメント数が偶数である場合、１つのエンドセグメントのレンズはＸ及びＹにおいて拘束され、第２のエンドセグメントのレンズはＸ方向において補償ユニット５０及び拘束部７０を使用する。図３及び４の実施形態に示されるように、１つの実施形態は４つのセグメントを有し、エンドセグメントは補償ユニット５０を使用するが、残りの実施形態は３つのレンズセグメントを使用し、ここではエンドセグメントレンズは固定される。
【００２５】
［0032］  次に図６を参照すると、温度補償ユニット５０が斜視図で示される。このユニットは、レンズアセンブリに対し付勢力を与える材料のうちの１つに予測可能な挙動を与えるために異種材料を使用する。例えば温度補償ユニット５０は、超高分子量（ＵＨＭＷ）プラスチック本体と、本体５２の第１の位置５６から第２の位置５８に延在する金属ブレード又はシム５４とを含む。ブレード５４は、第１の位置及び温度において付勢力を与えるためにレンズアセンブリ２０に係合するバネとして機能する。温度補償ユニット５０が加熱されると、本体５２は、ブレード５４の膨張率とは異なる膨張率でＸ方向に膨張する。例示的な実施形態では、本体５２は、例えばスチールである金属ブレード５４の膨張率よりも速く膨張し、したがって、ブレード５４のアーチの高さＨは加熱されると減少する。図７を参照すると、本体５２から遠ざかるアークの高さは、破線で示す加熱された位置では、実線で示される高さよりも低いことが示される。したがって、レンズ構造体２６は、加熱時、温度補償本体５２に向かって移動する。照明器具が消され、冷却すると、レンズアセンブリ２０にかかる付勢力は増加され、これにより、レンズセグメント２６は、隣接するレンズセグメント２２が長手方向に膨張するにつれて補償ユニット５０から離れるように移動する。温度補償ユニットは、留め具、固定具、接着剤又は他の材料、及び、照明に合せて増減する温度によってその機能が悪影響を受けない構造体を含む様々な構造体によって固定される。更に、様々な付勢構造体が、シム又はブレード５４の代わりに使用されてもよいことは理解されるべきである。例えばコイルバネを使用して付勢してもよいし、そのような代替のバネ又は付勢構造体が動作可能であるように本体５２に別の形状を代替してもよい。温度の変化に基づいて可変の付勢力を提供する任意の付勢構造体又は二材構造体を使用してよい。
【００２６】
［0033］  本発明の幾つかの実施形態の前記説明は、例示のために提示されている。当該説明は網羅的であることを意図せず、又は、本発明を開示されたステップ及び／又は形態に厳密に限定することを意図せず、また、上記教示内容に鑑みて多くの変更及び変形が当然ながら可能である。本発明及びその等価物の範囲は、添付の特許請求の範囲によって定義されることを意図している。
【図１】
2014513387.tif 000003
【図２】
2014513387.tif 000004
【図３】
2014513387.tif 000005
【図４】
2014513387.tif 000006
【図５】
2014513387.tif 000007
【図６】
2014513387.tif 000008
【図７】
2014513387.tif 000009
【図８】
2014513387.tif 000010
【国際調査報告】
2014513387.tif 000011
2014513387.tif 000012